(57)【要約】【課題】本発明は監視カメラ固定設備を開示した。【解決手段】固定台、前記固定台と接続する係合端と前記係合端と接続する監視カメラを含み、前記係合端の底端面の中心に電気接続ブロックが設置され、前記係合端の底端面の右側に第一斜面が設置され、前記係合端の右端面に右に向かうロック固定溝が設置され、前記固定台の頂端面の中心に前記係合端を挿入し係合し接続する係合溝が設置され、前記係合溝の底端壁の中心に前記電気接続ブロックと係合し接続する電気接続穴が設置され、本発明の全体構造が簡単で、設計が安全で合理的で、監視カメラを通電し取り付ける同時に監視カメラをロックし、監視カメラが通電し接触不良などの電気現象で感電事故が発生することを避けて、監視カメラが通電する時の安全性と安定性を保証し、監視カメラの取付と解体効率を高める。【選択図】図3
2019184989.tif 000002
【特許請求の範囲】
【請求項１】
監視カメラ固定設備であって、固定台、前記固定台と接続する係合端と前記係合端と接続する監視カメラを含み、前記係合端の底端面の中心に電気接続ブロックが設置され、前記係合端の底端面の右側に第一斜面が設置され、前記係合端の右端面に右に向かうロック固定溝が設置され、前記固定台の頂端面の中心に前記係合端を挿入し係合し接続する係合溝が設置され、前記係合溝の底端壁の中心に前記電気接続ブロックと係合し接続する電気接続穴が設置され、前記係合溝の右側に第一滑走溝が設置され、前記第一滑走溝の上端に上に向かう前記固定台の外部と連結する開溝が設置され、前記第一滑走溝の右端壁にキャビティが設置され、前記第一滑走溝に左右にスライド可能に滑走板が設置され、前記滑走板の上端面に前記開溝と摺動可能なように係合して接続する上に伸びる押板が設置され、前記滑走板の頂端面左側に前記第一斜面と当接しスライド可能なように係合する第二斜面が設置され、前記滑走板の右端に第一弾力件が接続され、前記第一弾力件が前記滑走板と離れる一端が前記キャビティの右端壁に接続し、前記固定台の中に前記係合溝の下側に伝動溝が設置され、前記伝動溝の右端に推進装置が設置され、前記伝動溝に左右にスライドできる滑走台が設置され、前記伝動溝の左端壁に上下対称に上電気接続ブロックと下電気接続ブロックが設置され、前記滑走台の左端面に上下対称に前記上電気接続ブロックと前記下電気接続ブロックと係合し接続し通電する上電気接続筐体と下電気接続筐体が設置され、前記上電気接続ブロックが前記電気接続穴と電気的に接続し、前記下電気接続ブロックが商用電源と接続し、前記上電気接続筐体が前記下電気接続筐体と互いに電気的に接続し、前記推進装置は前記伝動溝と前記固定台の外部を連結する開溝と前記開溝に設置される推進レバーを含み、前記開溝の左端に板体が固定的に設置され、前記推進レバーの左端が前記板体を通り抜けて前記板体と左右に摺動可能なように係合して接続し、前記推進レバーの左端が前記滑走台と固定的に接続し、前記推進レバーの左端位置に近づく所にバンプが固定的に設置され、前記推進レバーに前記板体と前記バンプの間に位置する所に第二弾力件が周設され、前記推進レバーの下端に前記推進レバーとヒンジで連結するロック固定レバーが設置され、前記固定台の下端面に前記開溝と連結する弧状ロック固定溝が設置され、前記ロック固定レバーのロック固定部が回転可能なように前記弧状ロック固定溝に挿入し、前記第一斜面と前記第二斜面の傾斜角度が同一であり、前記ロック固定溝が前記第一滑走溝のノッチ面積が同じであることを特徴とする監視カメラ固定設備。
【発明の詳細な説明】
【技術分野】
【０００１】
本発明は監視技術分野に関し、具体的には監視カメラ固定設備に関する。
【背景技術】
【０００２】
監視カメラはカメラストレージ設備でビデオ、オーディオ信号を収録しストレージする。閉回路監視が民間用及び商業用途の普及につれて、監視カメラもさまざまな分野に広く応用され、企業管理と社会治安を護衛し、伝統的な監視カメラ設備の取付と操作のステップが複雑で、ボルトで固定する必要があり、そして伝統的な監視カメラ設備の通電信号接続が繁雑で、比較的に大きい潜在的な安全上の欠陥が存在する。
【先行技術文献】
【特許文献】
【０００３】
【特許文献１】中国特許出願公開第105141946号明細書
【発明の概要】
【発明が解決しようとする課題】
【０００４】
本発明は解決する必要な技術問題に対して監視カメラ固定設備を提供し、それは上記の現在の技術問題を解決できる。
【課題を解決するための手段】
【０００５】
上記の問題を解決するため、本発明は以下の技術方案を採用する。固定台、前記固定台と接続する係合端と前記係合端と接続する監視カメラを含み、前記係合端の底端面の中心に電気接続ブロックが設置され、前記係合端の底端面の右側に第一斜面が設置され、前記係合端の右端面に右に向かうロック固定溝が設置され、前記固定台の頂端面の中心に前記係合端を挿入し係合し接続する係合溝が設置され、前記係合溝の底端壁の中心に前記電気接続ブロックと係合し接続する電気接続穴が設置され、前記係合溝の右側に第一滑走溝が設置され、前記第一滑走溝の上端に上に向かう前記固定台の外部と連結する開溝が設置され、前記第一滑走溝の右端壁にキャビティが設置され、前記第一滑走溝に左右にスライド可能に滑走板が設置され、前記滑走板の上端面に前記開溝と摺動可能なように係合して接続する上に伸びる押板が設置され、前記滑走板の頂端面左側に前記第一斜面と当接しスライド可能なように係合する第二斜面が設置され、前記滑走板の右端に第一弾力件が接続され、前記第一弾力件が前記滑走板と離れる一端が前記キャビティの右端壁に接続し、前記固定台の中に前記係合溝の下側に伝動溝が設置され、前記伝動溝の右端に推進装置が設置され、前記伝動溝に左右にスライドできる滑走台が設置され、前記伝動溝の左端壁に上下対称に上電気接続ブロックと下電気接続ブロックが設置され、前記滑走台の左端面に上下対称に前記上電気接続ブロックと前記下電気接続ブロックと係合し接続し通電する上電気接続筐体と下電気接続筐体が設置され、前記上電気接続ブロックが前記電気接続穴と電気的に接続し、前記下電気接続ブロックが商用電源と接続し、前記上電気接続筐体が前記下電気接続筐体と互いに電気的に接続する。
【０００６】
好ましい技術方案として前記推進装置は前記伝動溝と前記固定台の外部を連結する開溝と前記開溝に設置される推進レバーを含み、前記開溝の左端に板体が固定的に設置され、前記推進レバーの左端が前記板体を通り抜けて前記板体と左右に摺動可能なように係合して接続し、前記推進レバーの左端が前記滑走台と固定的に接続し、前記推進レバーの左端位置に近づく所にバンプが固定的に設置され、前記推進レバーに前記板体と前記バンプの間に位置する所に第二弾力件が周設され、前記推進レバーの下端に前記推進レバーとヒンジで連結するロック固定レバーが設置され、前記固定台の下端面に前記開溝と連結する弧状ロック固定溝が設置され、前記ロック固定レバーのロック固定部が回転可能なように前記弧状ロック固定溝に挿入する。
【０００７】
好ましい技術方案として前記第一斜面と前記第二斜面の傾斜角度が同一であり、前記ロック固定溝が前記第一滑走溝のノッチ面積が同じである。
【０００８】
本発明の有益な効果は、以下の通りである。1. 係合端と係合溝と正確に合わせて、徐々に係合溝に挿入し、係合端が係合溝に挿入し第一斜面と第二斜面に当接しスライド可能に係合させ、これにより係合端を通じて滑走板を右水平に押して、この同時に係合端が係合溝が係合し接続する状態にあり、電気接続ブロックが電気接続穴が係合し接続する状態にあり、ロック固定溝と第一滑走溝が相対状態にあり、第一弾力件の押圧作用のもとで、滑走板がロック固定溝に挿入し係合し接続し係合端を係合溝にロックし、これにより係合端が固定台の接続安定性を確保し、その後に推進レバーが滑走台を左にスライドさせ、推進レバーの押動作用のもとで滑走台が伝達溝の一番左端に位置し、上電気接続ブロックと下電気接続ブロックがそれぞれ上電気接続筐体と下電気接続筐体と係合し接続し通電し、これにより電気接続穴を通電し、電気接続ブロックを通電し、これにより監視カメラに電力供給し、同時にロック固定レバーが回転可能なように弧状ロック固定溝に挿入し推進レバーの位置をロックし、これにより監視カメラの通電の安定性を保証する。
【０００９】
2. ロック固定レバーを下に回転可能なようにし、第二弾力件の押圧作用のもとでロック固定レバーが右に押動され、ロック固定レバーが右に押動し滑走台と連動して右にスライドし、これにより上電気接続ブロックと下電気接続ブロックがそれぞれ上電気接続筐体と下電気接続筐体と離脱し係合し接続し、これにより電気接続穴を通電し、これにより監視カメラを停電し、その後に押板を右に押動し、これにより滑走板がロック固定溝との係合接続から離脱し、係合端のロックを解除し、その後に係合溝の中から係合端を引き抜いたら係合端が係合溝との係合接続から離脱し、その後に押板を緩めて、第一弾力件の押圧作用のもとで、滑走板が左に押動され初期位置状態に戻って、これにより次に監視カメラを取り付けることが便利で、これにより監視カメラの取付安全性を高める。
【００１０】
3. 本発明の全体構造が簡単で、設計が安全で合理的で、監視カメラを通電し取り付ける同時に監視カメラをロックし、監視カメラが通電し接触不良などの電気現象で感電事故が発生することを避けて、監視カメラが通電する時の安全性と安定性を保証し、監視カメラの取付と解体効率を高める。
【発明の効果】
【００１１】
本発明の有益な効果は、以下の通りである。1. 係合端と係合溝と正確に合わせて、徐々に係合溝に挿入し、係合端が係合溝に挿入し第一斜面と第二斜面に当接しスライド可能に係合させ、これにより係合端を通じて滑走板を右水平に押して、この同時に係合端が係合溝が係合し接続する状態にあり、電気接続ブロックが電気接続穴が係合し接続する状態にあり、ロック固定溝と第一滑走溝が相対状態にあり、第一弾力件の押圧作用のもとで、滑走板がロック固定溝に挿入し係合し接続し係合端を係合溝にロックし、これにより係合端が固定台の接続安定性を確保し、その後に推進レバーが滑走台を左にスライドさせ、推進レバーの押動作用のもとで滑走台が伝達溝の一番左端に位置し、上電気接続ブロックと下電気接続ブロックがそれぞれ上電気接続筐体と下電気接続筐体と係合し接続し通電し、これにより電気接続穴を通電し、電気接続ブロックを通電し、これにより監視カメラに電力供給し、同時にロック固定レバーが回転可能なように弧状ロック固定溝に挿入し推進レバーの位置をロックし、これにより監視カメラの通電の安定性を保証する。
【００１２】
2. ロック固定レバーを下に回転可能なようにし、第二弾力件の押圧作用のもとでロック固定レバーが右に押動され、ロック固定レバーが右に押動し滑走台と連動して右にスライドし、これにより上電気接続ブロックと下電気接続ブロックがそれぞれ上電気接続筐体と下電気接続筐体と離脱し係合し接続し、これにより電気接続穴を通電し、これにより監視カメラを停電し、その後に押板を右に押動し、これにより滑走板がロック固定溝との係合接続から離脱し、係合端のロックを解除し、その後に係合溝の中から係合端を引き抜いたら係合端が係合溝との係合接続から離脱し、その後に押板を緩めて、第一弾力件の押圧作用のもとで、滑走板が左に押動され初期位置状態に戻って、これにより次に監視カメラを取り付けることが便利で、これにより監視カメラの取付安全性を高める。
【００１３】
3. 本発明の全体構造が簡単で、設計が安全で合理的で、監視カメラを通電し取り付ける同時に監視カメラをロックし、監視カメラが通電し接触不良などの電気現象で感電事故が発生することを避けて、監視カメラが通電する時の安全性と安定性を保証し、監視カメラの取付と解体効率を高める。
【図面の簡単な説明】
【００１４】
本発明の実施例また既存の技術の中の技術方案をもっとはっきりと説明するため、下記に実施例また既存の技術の説明の中に使用する必要がある図面に簡単な紹介を行って、一目でわかることは下記の説明の中の図面はただ本発明のいくつかの実施例で、本領域の当業者にとって、創造的な労働を払わないことを前提に、これらの図面に基づいてそのほかの図面を得ることができる。
【００１５】
【図１】図１は本発明の監視カメラ固定設備の全体構造概略図である。
【図２】図２は図１の中の監視カメラが通電とロック状態にある時の構造概略図である。
【図３】図３は図１の中の局部図である。
【発明を実施するための形態】
【００１６】
下記に図面を交え本発明の好ましい実施例を詳しく説明し、本発明の長所と特徴を本分野の技術者にもっとわかりやすく理解させ、これにより本発明の保護範囲にもっと明確な画定を行う。
【００１７】
図1~3が示す監視カメラ固定設備を参照し、固定台3、前記固定台3と接続する係合端2と前記係合端2と接続する監視カメラ1を含み、前記係合端2の底端面の中心に電気接続ブロック4が設置され、前記係合端2の底端面の右側に第一斜面5が設置され、前記係合端2の右端面に右に向かうロック固定溝6が設置され、前記固定台3の頂端面の中心に前記係合端2を挿入し係合し接続する係合溝13が設置され、前記係合溝13の底端壁の中心に前記電気接続ブロック4と係合し接続する電気接続穴14が設置され、前記係合溝13の右側に第一滑走溝9が設置され、前記第一滑走溝9の上端に上に向かう前記固定台3の外部と連結する開溝15が設置され、前記第一滑走溝9の右端壁にキャビティ12が設置され、前記第一滑走溝9に左右にスライド可能に滑走板8が設置され、前記滑走板8の上端面に前記開溝15と摺動可能なように係合して接続する上に伸びる押板10が設置され、前記滑走板8の頂端面左側に前記第一斜面5と当接しスライド可能なように係合する第二斜面7が設置され、前記滑走板8の右端に第一弾力件11が接続され、前記第一弾力件11が前記滑走板8と離れる一端が前記キャビティ12の右端壁に接続し、前記固定台3の中に前記係合溝13の下側に伝動溝19が設置され、前記伝動溝19の右端に推進装置16が設置され、前記伝動溝19に左右にスライドできる滑走台22が設置され、前記伝動溝19の左端壁に上下対称に上電気接続ブロック20と下電気接続ブロック21が設置され、前記滑走台22の左端面に上下対称に前記上電気接続ブロック20と前記下電気接続ブロック21と係合し接続し通電する上電気接続筐体24と下電気接続筐体23が設置され、前記上電気接続ブロック20が前記電気接続穴14と電気的に接続し、前記下電気接続ブロック21が商用電源と接続し、前記上電気接続筐体24が前記下電気接続筐体23と互いに電気的に接続する。
【００１８】
好ましくは、前記推進装置16は前記伝動溝19と前記固定台3の外部を連結する開溝28と前記開溝28に設置される推進レバー27を含み、前記開溝28の左端に板体29が固定的に設置され、前記推進レバー27の左端が前記板体29を通り抜けて前記板体29と左右に摺動可能なように係合して接続し、前記推進レバー27の左端が前記滑走台22と固定的に接続し、前記推進レバー27の左端位置に近づく所にバンプ26が固定的に設置され、前記推進レバー27に前記板体29と前記バンプ26の間に位置する所に第二弾力件25が周設され、前記推進レバー27の下端に前記推進レバー27とヒンジで連結するロック固定レバー17が設置され、前記固定台3の下端面に前記開溝28と連結する弧状ロック固定溝18が設置され、前記ロック固定レバー17のロック固定部が回転可能なように前記弧状ロック固定溝18に挿入し、これにより通電接触の安定性と停電解錠の高速性を保証する。
【００１９】
好ましくは、前記第一斜面5と前記第二斜面7の傾斜角度が同一であり、前記ロック固定溝6が前記第一滑走溝9のノッチ面積が同一であり、これにより前記滑走板8が前記ロック固定溝6に挿入し係合し接続する。
【００２０】
本装置を取り付ける時、前記係合端2と前記係合溝13と正確に合わせて、徐々に前記係合溝13に挿入し、前記係合端2が前記係合溝13に挿入し前記第一斜面5と前記第二斜面7に当接しスライド可能に係合させ、これにより前記係合端2を通じて前記滑走板8を右水平に押して、この同時に前記係合端2が前記係合溝13が係合し接続する状態にあり、前記電気接続ブロック4が前記電気接続穴14が係合し接続する状態にあり、前記ロック固定溝6と前記第一滑走溝9が相対状態にあり、前記第一弾力件11の押圧作用のもとで、前記滑走板8が前記ロック固定溝6に挿入し係合し接続し前記係合端2を前記係合溝13にロックし、これにより係合端2が固定台3の接続安定性を確保し、その後に前記推進レバー27が前記滑走台22を左にスライドさせ、前記推進レバー27の押動作用のもとで前記滑走台22が前記伝達溝19の一番左端に位置し、前記上電気接続ブロック20と前記下電気接続ブロック21がそれぞれ前記上電気接続筐体24と前記下電気接続筐体23と係合し接続し通電し、これにより前記電気接続穴14を通電し、前記電気接続ブロック4を通電し、これにより前記監視カメラ1に電力供給し、同時に前記ロック固定レバー17が回転可能なように前記弧状ロック固定溝18に挿入し前記推進レバー27の位置をロックし、これにより前記監視カメラ1の通電の安定性を保証し、監視カメラ1を解体する時に、前記ロック固定レバー17を下に回転可能なようにし、前記第二弾力件25の押圧作用のもとで前記ロック固定レバー17が右に押動され、前記ロック固定レバー17が右に押動し前記滑走台22と連動して右にスライドし、これにより前記上電気接続ブロック20と前記下電気接続ブロック21がそれぞれ前記上電気接続筐体24と前記下電気接続筐体23と離脱し係合し接続し、これにより前記電気接続穴14を通電し、これにより前記監視カメラ1を停電し、その後に前記押板10を右に押動し、これにより前記滑走板8が前記ロック固定溝6との係合接続から離脱し、前記係合端2のロックを解除し、その後に前記係合溝13の中から前記係合端2を引き抜いたら前記係合端2が前記係合溝13との係合接続から離脱し、その後に前記押板10を緩めて、前記第一弾力件11の押圧作用のもとで、前記滑走板8が左に押動され初期位置状態に戻って、これにより次に監視カメラ1を取り付けることが便利で、これにより監視カメラの取付安全性を高める。
【００２１】
本発明の有益な効果は、以下の通りである。1. 係合端と係合溝と正確に合わせて、徐々に係合溝に挿入し、係合端が係合溝に挿入し第一斜面と第二斜面に当接しスライド可能に係合させ、これにより係合端を通じて滑走板を右水平に押して、この同時に係合端が係合溝が係合し接続する状態にあり、電気接続ブロックが電気接続穴が係合し接続する状態にあり、ロック固定溝と第一滑走溝が相対状態にあり、第一弾力件の押圧作用のもとで、滑走板がロック固定溝に挿入し係合し接続し係合端を係合溝にロックし、これにより係合端が固定台の接続安定性を確保し、その後に推進レバーが滑走台を左にスライドさせ、推進レバーの押動作用のもとで滑走台が伝達溝の一番左端に位置し、上電気接続ブロックと下電気接続ブロックがそれぞれ上電気接続筐体と下電気接続筐体と係合し接続し通電し、これにより電気接続穴を通電し、電気接続ブロックを通電し、これにより監視カメラに電力供給し、同時にロック固定レバーが回転可能なように弧状ロック固定溝に挿入し推進レバーの位置をロックし、これにより監視カメラの通電の安定性を保証する。
【００２２】
2. ロック固定レバーを下に回転可能なようにし、第二弾力件の押圧作用のもとでロック固定レバーが右に押動され、ロック固定レバーが右に押動し滑走台と連動して右にスライドし、これにより上電気接続ブロックと下電気接続ブロックがそれぞれ上電気接続筐体と下電気接続筐体と離脱し係合し接続し、これにより電気接続穴を通電し、これにより監視カメラを停電し、その後に押板を右に押動し、これにより滑走板がロック固定溝との係合接続から離脱し、係合端のロックを解除し、その後に係合溝の中から係合端を引き抜いたら係合端が係合溝との係合接続から離脱し、その後に押板を緩めて、第一弾力件の押圧作用のもとで、滑走板が左に押動され初期位置状態に戻って、これにより次に監視カメラを取り付けることが便利で、これにより監視カメラの取付安全性を高める。
【００２３】
3. 本発明の全体構造が簡単で、設計が安全で合理的で、監視カメラを通電し取り付ける同時に監視カメラをロックし、監視カメラが通電し接触不良などの電気現象で感電事故が発生することを避けて、監視カメラが通電する時の安全性と安定性を保証し、監視カメラの取付と解体効率を高める。
【００２４】
以上に本発明の基本原理、主な特徴と本発明の長所を表明し説明した。本業界の技術者が了解すべきなのは本発明は上記の実施例の制限を受けなく、上記の実施例と説明書に説明したのは本発明の原理で、本発明の意義と原理から離れない前提に本発明に各種の変化と改善があり、これらの変化と改善が本発明の保護範囲にある。本発明の保護範囲は添付の特許請求の範囲と同等内容に画定される。
【図１】
2019184989.tif 000003
【図２】
2019184989.tif 000004
【図３】
2019184989.tif 000005